(57)【要約】【課題】  従来の太陽熱熱源とヒートポンプ熱源を併用する給湯装置においては、太陽熱熱源とヒートポンプ熱源が同時に一つの貯湯槽を加熱する場合には、太陽熱熱源とヒートポンプ熱源両方の熱交換率が低下するという問題があった。【解決手段】  給湯装置１は、太陽熱熱源用の熱交換器２１が設けられた第一貯湯槽２０と、第二貯湯槽４０と、第一貯湯槽２０に給水されて貯留している水を、第一貯湯槽２０をヒートポンプ熱源機３０との間で、ヒートポンプ循環ポンプ３３で循環させる第一循環回路と、第二貯湯槽４０に給水されて貯留している水を、第二貯湯槽４０をヒートポンプ熱源機３０との間で、ヒートポンプ循環ポンプ３３で循環させる第二循環回路と、前記第一循環回路又は前記第二循環回路の何れか一方のみを形成させる選択手段３４と、を備えている。【選択図】図１
2020070967.tif 000002
【特許請求の範囲】
【請求項１】
集熱器で集熱した熱媒体が循環する熱交換器を下部に備え下部に給水管接続口と上部に給湯管接続口が設けられた第一貯湯槽と、
下部に給水管接続口と上部に給湯管接続口が設けられた第二貯湯槽と、
前記第一貯湯槽に給水されて貯留している水を、前記第一貯湯槽をヒートポンプ熱源機との間で、ヒートポンプ循環ポンプにより循環させる第一循環回路と、
前記第二貯湯槽に給水されて貯留している水を、前記第二貯湯槽をヒートポンプ熱源機との間で、ヒートポンプ循環ポンプにより循環させる第二循環回路と、
前記第一循環回路又は前記第二循環回路の何れか一方のみを形成させる選択手段と、
を備えた給湯装置。
【請求項２】
集熱器で集熱した熱媒体が循環する熱交換器を下部に備え下部に給水管接続口が設けられた第一貯湯槽と、
下部に給水管接続口と上部に給湯管接続口が設けられた第二貯湯槽と、
前記第二貯湯槽の下部と前記第一貯湯槽の上部を連接する循環管と、
前記第二貯湯槽に給水されて貯留している水と前記第一貯湯槽に給水されて貯留している水を、前記循環管で連接された前記第二貯湯槽と前記第一貯湯槽をヒートポンプ熱源機との間で、ヒートポンプ循環ポンプにより循環させる第三循環回路と、
前記第二貯湯槽に給水されて貯留している水を、前記第二貯湯槽をヒートポンプ熱源機との間で、ヒートポンプ循環ポンプにより循環させる第二循環回路と、
前記第三循環回路又は前記第二循環回路の何れか一方のみを形成させる第二選択手段と、
を備えた給湯装置。
【請求項３】
前記第一貯湯槽と前記第二貯湯槽の両方が、沸き上げ設定温度に達してない場合に、前記選択手段は前記第一貯湯槽を通過する循環を優先するが、前記集熱器で集熱を行う循環を行っている場合には、前記選択手段で前記第二循環回路を形成する制御を行う制御部を備えた請求項１または請求項２記載の給湯装置。
【請求項４】
前記第一貯湯槽と前記第二貯湯槽の両方が、沸き上げ設定温度に達してない場合に、前記選択手段は前記第一貯湯槽を通過する循環を優先するが、制御部に記憶されている一日の時間帯を参照して日照が行われる時間帯に当たる場合には、前記選択手段で前記第二循環回路を形成する制御を行う制御部を備えた請求項１または請求項２記載の給湯装置。
【請求項５】
前記第一貯湯槽に設けられた温度センサーで検出した温度と、
前記第二貯湯槽に設けられた温度センサーで検出した温度を比較して、
前記第二貯湯槽側の温度が前記第一貯湯槽側の温度よりも所定温度低い場合には、前記選択手段で前記第二循環回路を形成する制御を行う制御部を備えた請求項３または請求項４記載の給湯装置。
【発明の詳細な説明】
【技術分野】
【０００１】
本発明は、第一貯湯槽に蓄熱する太陽熱循環回路と、第二貯湯槽に蓄熱するヒートポンプ循環回路を備えた給湯装置に関する。
【背景技術】
【０００２】
従来、太陽熱を蓄熱する給湯装置については様々のものが提案されている。太陽熱を蓄熱する給湯装置は、自然エネルギーを利用するので、省エネルギーと言う面から優れている。しかしながら、太陽熱を蓄熱する給湯装置は、日中の限られた時間帯でしか集熱できないことや、天候や季節によって集熱量が影響を受けることから、他の給湯装置を組み合わせることにより補助熱源が必要とされていた。
【０００３】
一方、ヒートポンプを熱源とする給湯装置については、電気エネルギーを効率的利用することが可能であることから、これも様々なものが提案されている。また、ヒートポンプ熱源の場合は、電力会社から電気を購入して電気エネルギーでヒートポンプサイクルを駆動させることにより、熱を発生させて温水にすることで蓄熱を行っている。従来、電力会社は、電力の使用が少ない時間帯である深夜、例えば午後１１時〜午前８時の時間帯の料金を下げる料金設定を行っていたので、ヒートポンプ熱源の場合には、この深夜の時間帯に電気を購入して蓄熱を行うものであった。
【０００４】
太陽熱を蓄熱する給湯装置では時間当たり発生する熱量を大きくすることは、システムの構成上無駄となるので、一日に使用が想定される温水の量に合わせて、貯湯槽に蓄熱することが経済的なシステムであった。また、ヒートポンプを熱源とする給湯装置については、ヒートポンプの熱源装置本体の大きさや使用される電力との関係もあり、これも貯湯槽に蓄熱することが経済的なシステムであった。
【０００５】
そして、太陽熱を蓄熱する貯湯槽を備えた給湯装置の補助熱源に、ヒートポンプで蓄熱する貯湯槽を組み合わせた給湯装置も特許文献１が提案されている。この場合、ヒートポンプ熱源に比較して太陽熱熱源の方より省エネルギーであるので、太陽熱を蓄熱する貯湯槽側の温水を無駄なく利用する必要があった。
【０００６】
以上から特許文献１の様な従来の給湯装置としては、日中は太陽熱熱源で蓄熱し、深夜にヒートポンプ熱源で蓄熱することを前提として、ヒートポンプ循環回路での循環が、第二貯湯槽と第一貯湯槽とを直列に結んで循環する構成となっていた。
【先行技術文献】
【特許文献】
【０００７】
【特許文献１】特開２０１０−１７５１４２号公報
【発明の概要】
【発明が解決しようとする課題】
【０００８】
しかしながら、再生可能エネルギー促進による太陽光発電や、バイオマス等の小規模自家発電装置の普及が図られ、電力会社から電気を購入しない選択も可能となってきた。さらに、電力自由化により、電力会社の新規参入が可能となり電気料金プランも様々なものが生まれてきている。そのため、ヒートポンプ熱源の電気を使用する場合に、電気料金の安い深夜の時間帯だけにヒートポンプ熱源を使用するとは限らないものとなった。
【０００９】
そして、ヒートポンプ熱源による蓄熱を太陽熱熱源の蓄熱が行われる時間帯にも行う必要がある場合には、従来のヒートポンプ循環回路での循環が、第二貯湯槽と第一貯湯槽とを直列に結んで循環すると、第一貯湯槽の太陽熱熱源による蓄熱とヒートポンプ熱源による蓄熱が同時に行われることになり、ヒートポンプ熱源による蓄熱により第一貯湯槽の温度が日中上昇すると、本来、省エネルギーとしては優れている第一貯湯槽での太陽熱熱源を利用した蓄熱が出来なくなる場合や、蓄熱できるとしても、第一貯湯槽の内部の水の温度をヒートポンプ熱源による蓄熱で上昇させるので、太陽熱熱源を利用する蓄熱時の熱交換効率が低下すると言う問題があった。
【００１０】
同時に、第一貯湯槽においては、太陽熱熱源による蓄熱も開始するのでヒートポンプ熱源における蓄熱時の熱交換効率が低下すると言う問題があった。
【課題を解決するための手段】
【００１１】
上記の課題を解決するため、本発明では、次の技術的手段が講じられている。
【００１２】
第１発明の給湯装置は、集熱器で集熱した熱媒体が循環する熱交換器を下部に備え下部に給水管接続口と上部に給湯管接続口が設けられた第一貯湯槽と、下部に給水管接続口と上部に給湯管接続口が設けられた第二貯湯槽と、前記第一貯湯槽に給水されて貯留している水を、前記第一貯湯槽をヒートポンプ熱源機との間で、ヒートポンプ循環ポンプにより循環させる第一循環回路と、前記第二貯湯槽に給水されて貯留している水を、前記第二貯湯槽をヒートポンプ熱源機との間で、ヒートポンプ循環ポンプにより循環させる第二循環回路と、前記第一循環回路又は前記第二循環回路の何れか一方のみを形成させる選択手段と、を備えている。
第２発明の給湯装置は、集熱器で集熱した熱媒体が循環する熱交換器を下部に備え下部に給水管接続口が設けられた第一貯湯槽と、下部に給水管接続口と上部に給湯管接続口が設けられた第二貯湯槽と、前記第二貯湯槽の下部と前記第一貯湯槽の上部を連接する循環管と、前記第二貯湯槽に給水されて貯留している水と前記第一貯湯槽に給水されて貯留している水を、前記循環管で連接された前記第二貯湯槽と前記第一貯湯槽をヒートポンプ熱源機との間で、ヒートポンプ循環ポンプにより循環させる第三循環回路と、前記第二貯湯槽に給水されて貯留している水を、前記第二貯湯槽をヒートポンプ熱源機との間で、ヒートポンプ循環ポンプにより循環させる第二循環回路と、前記第三循環回路又は前記第二循環回路の何れか一方のみを形成させる第二選択手段と、を備えている。
第３発明の給湯装置は、請求項１または請求項２記載の発明において、前記第一貯湯槽と前記第二貯湯槽の両方が、沸き上げ設定温度に達してない場合に、前記選択手段は前記第一貯湯槽を通過する循環を優先するが、前記集熱器で集熱を行う循環を行っている場合には、前記選択手段で前記第二循環回路を形成する制御を行う制御部を備えている。
第４発明の給湯装置は、請求項１または請求項２記載の発明において、前記第一貯湯槽と前記第二貯湯槽の両方が、沸き上げ設定温度に達してない場合に、前記選択手段は前記第一貯湯槽を通過する循環を優先するが、制御部に記憶されている一日の時間帯を参照して日照が行われる時間帯に当たる場合には、前記選択手段で前記第二循環回路を形成する制御を行う制御部を備えている。
第５発明の給湯装置は、請求項３または請求項４記載の発明において、前記第一貯湯槽に設けられた温度センサーで検出した温度と、前記第二貯湯槽に設けられた温度センサーで検出した温度を比較して、前記第二貯湯槽側の温度が前記第一貯湯槽側の温度よりも所定温度低い場合には、前記選択手段で前記第二循環回路を形成する制御を行う制御部を備えている。
【発明の効果】
【００１３】
以上のような、技術的手段が講じられていることにより、以下の効果を有する。
第１発明においては、太陽熱熱源とヒートポンプ熱源を用いた貯湯槽へ蓄熱が行われる場合に、太陽熱熱源とヒートポンプ熱源両方の熱交換効率を上昇させることができる構成となっている。
第２発明においては、太陽熱熱源とヒートポンプ熱源を用いた貯湯槽へ蓄熱が行われる場合に、太陽熱熱源とヒートポンプ熱源両方の熱交換効率を上昇させることができる構成となっている。
第３発明においては、第１発明または第２発明を利用し、第１発明または第２発明の構成を効率良く実行することができる。
第４発明においては、第１発明または第２発明を利用し、第１発明または第２発明の構成を効率良く実行することができる。
第５発明においては、第３発明または第４発明を利用し、第１発明または第２発明の構成を効率良く実行することができる。
【図面の簡単な説明】
【００１４】
【図１】本発明に係る第１の実施形態の給湯装置の概略構成図である。
【図２】本発明に係る第２の実施形態の給湯装置の概略構成図である。
【図３】本発明に係る第３の実施形態の給湯装置の概略構成図である。
【図４】本発明に係る第４の実施形態の給湯装置の概略構成図である。
【図５】本発明に係る第５の実施形態の給湯装置の概略構成図である。
【発明を実施するための形態】
【００１５】
本発明に係る給湯装置の実施の形態について図１乃至図５に基づき説明する。なお、この実施の形態によりこの発明が限定されるものではない。
【００１６】
（第１の実施形態）
図１に示す第１の実施形態の給湯装置１は、第一貯湯槽２０と第二貯湯槽４０を備えている。第一貯湯槽２０と第二貯湯槽４０の下部には、上水道等の給水管５に連接し、減圧弁６で減圧された給水管が接続されている。そして、第一貯湯槽２０と第二貯湯槽４０の内部には、給水管５から給水された水道水が貯留している。この貯留した水を、後述する加熱手段により加熱して、水に蓄熱して温水としている。そして、第一貯湯槽２０と第二貯湯槽４０の夫々の上部から、この取り出し、第一貯湯槽２０又は第二貯湯槽４０の何れかの温水を選択する電動三方弁７や、温水と水を混合して必要な給湯温度にする電動混合弁８を経て、お湯の必要となる浴室や台所等への給湯管９に接続されている。
【００１７】
また、第一貯湯槽２０と第二貯湯槽４０には夫々加熱手段を備えている。第一貯湯槽２０については、第一貯湯槽２０の内部に太陽熱熱源とする加熱手段である熱交換器２１と、
ヒートポンプ熱源機３０を熱源として、後述する第一循環回路により、第一貯湯槽２０の上部から下部に循環する加熱手段とにより、第一貯湯槽２０の内部に貯留する水を加熱している。第二貯湯槽４０については、ヒートポンプ熱源機３０を熱源として、後述する第二循環回路により、第二貯湯槽４０の上部から下部に循環する加熱手段で、第二貯湯槽４０の内部に貯留する水に蓄熱している。
【００１８】
第一貯湯槽２０の太陽熱熱源とする加熱手段は、循環ポンプ２２で熱媒体（例えば、プロピレングリコール等の不凍液に防錆剤を添加した液）を強制的に集熱器２３と第一貯湯槽２０の下部に内蔵した熱交換器２１を循環させて、熱交換器２１により第一貯湯槽２０の内部に貯留する水に熱交換して温水にしている。
【００１９】
なお、太陽熱による加熱手段の熱媒体の循環回路には、太陽熱電動三方弁２４を設け、アキュームタンク２５と集熱器２３の間でバイパスさせて熱媒体を循環させる回路を選択できる様になっている。焦熱器でのエアー抜きを容易に行うためてある。また、前記熱媒体の循環回路には、内部に循環する熱媒体の膨張や収縮の吸収のためのアキュームタンク２５や、アキュームタンク２５から分岐して熱媒体の補給のためのリザーブタンク２６が設けられている。
【００２０】
また、循環ポンプ２２を駆動又は停止して効率良く第一貯湯槽２０に蓄熱するために、集熱器２３や、第一貯湯槽２０または、集熱器２３と第一貯湯槽２０とを連接する前記熱媒体循環回路の何れかの箇所に蓄熱状態を検知するための温度センサーを設けて、これらの温度情報や制御部７０に記憶されている一日の時間帯を参照して日照が行われる時間帯に当たる場合かを判断し、制御部７０で循環ポンプ２２の駆動又は停止を制御している。
【００２１】
具体的には、制御部７０に記憶されている一日の時間帯を参照して日照が行われる時間帯に当たる場合で、集熱器２３の又は集熱器２３から出た熱媒体の温度が、高くなり、第一貯湯槽２０に貯留する水道水の温度よりも所定以上高いことを判断した場合には、第一貯湯槽２０の水道水に蓄熱する。そして、集熱器２３の又は集熱器２３から出た熱媒体の温度と第一貯湯槽２０に貯留する水道水の温度の差が所定温度未満となった場合や、制御部７０に記憶されている日照が行われない時間帯になった場合は、蓄熱できないと判断して、循環ポンプ２２の駆動を停止する方法である。
【００２２】
第一貯湯槽２０と第二貯湯槽４０の加熱手段であるヒートポンプ熱源機３０とは、代替フロンや二酸化炭素等の冷媒を圧縮機３１で圧縮して、冷媒が凝縮する際に発生する熱を利用するものであり、電気温水器と異なり、冷媒を循環させることで大気の熱を移動することができる。そのため、投入する電気エネルギー以上の熱エネルギーを利用できる。ヒートポンプ熱源機３０の内部には、冷凍サイクルの凝縮器に該当するヒートポンプ熱交換器３２を有し、熱エネルギーを有した冷媒と、ヒートポンプ熱交換器３２を通過する水との間で熱交換することができる。
【００２３】
ヒートポンプ熱交換器３２と、第一貯湯槽２０又は第二貯湯槽４０の間に水を循環させるために、ヒートポンプ循環ポンプ３３を有しており、循環する対象を第一貯湯槽２０又は第二貯湯槽４０の何れかを選択するため、ヒートポンプ電動三方弁３４が設けられている。
【００２４】
ヒートポンプ電動三方弁３４を用いた選択手段が設けられていることで、第一貯湯槽２０又は第二貯湯槽４０へのヒートポンプ熱源機３０での加熱手段を夫々独立して行うことが可能であると同時に、第一貯湯槽２０において太陽熱による加熱が行われる場合には、ヒートポンプ熱源機３０の加熱手段を第二貯湯槽４０側にすることが可能な構成となっている。
【００２５】
第一貯湯槽２０とヒートポンプ熱源機３０との間で循環する第一循環回路の構成は、ヒートポンプ循環ポンプ３３、ヒートポンプ熱交換器３２、第一貯湯槽２０の上部側に切り換えられているヒートポンプ電動三方弁３４、第一貯湯槽２０の上部から下部、そして、ヒートポンプ循環ポンプ３３へ戻る循環回路となる。
【００２６】
第二貯湯槽４０とヒートポンプ熱源機３０との間で循環する第二循環回路の構成は、ヒートポンプ循環ポンプ３３、ヒートポンプ熱交換器３２、第二貯湯槽４０の上部側に切り換えられているヒートポンプ電動三方弁３４、第二貯湯槽４０の上部から下部、そして、ヒートポンプ循環ポンプ３３へ戻る循環回路となる。なお、第一貯湯槽２０又は第二貯湯槽４０からヒートポンプ循環ポンプ３３に戻る回路の途中には、夫々逆止弁３５が設けられており、互いの循環回路に逆流することを防止している。
【００２７】
そして、第一循環回路が形成されヒートポンプ熱交換器３２で加熱された水が循環することにより、第一貯湯槽２０に給水されて貯留している水は、上側から下に向かって徐々に昇温し、第一貯湯槽２０全体として加熱される。同様に、第二循環回路が形成されると、第二貯湯槽４０に給水されて貯留している水は、上側から下に向かって徐々に昇温し、第二貯湯槽４０全体として加熱される。なお、第一貯湯槽２０と第二貯湯槽４０には、内部に貯留する水の温度を検知するために、温度センサー５１〜５８が第一貯湯槽２０と第二貯湯槽４０の高さ方向の取り付け位置を変えて取り付けられており、第一貯湯槽２０と第二貯湯槽４０の内部に貯留する湯の温度だけでなく、第一貯湯槽２０と第二貯湯槽４０の夫々に貯えられている湯の量を推定することができる。
【００２８】
ヒートポンプ熱源機３０を駆動させて、第一貯湯槽２０と第二貯湯槽４０を加熱する場合の制御部７０の判断方法について説明する。加熱を行う前提としては、第一貯湯槽２０と第二貯湯槽４０に貯留する水が沸き上がってない場合である。
【００２９】
第一貯湯槽２０と第二貯湯槽４０に貯留する水が沸き上がってないとは、リモコン等の操作盤で設定可能な沸き上げ設定温度（例えば、６０℃）や、給湯装置１には水道水を混合することができる電動混合弁８を備えているので、給湯装置１の制御部７０に既に設定されている設計上限温度（例えば、７５℃）に、第一貯湯槽２０又は第二貯湯槽４０に貯留する水が全部到達してないと制御部７０が判断した場合であり、沸き上がっていると制御部７０が判断した場合はヒートポンプ熱源機３０での沸き上げは実施されない。
【００３０】
そして、第一貯湯槽２０又は第二貯湯槽４０の何れか一方だけが沸き上がっている場合には、沸き上がってない側の第一循環回路の第一貯湯槽２０または第二循環回路の第二貯湯槽４０をヒートポンプ電動三方弁３４で選択してヒートポンプ熱源機３０で沸き上げる。
【００３１】
第一貯湯槽２０と第二貯湯槽４０の何れも沸き上がってない場合には、制御部７０に設定されている以下の条件により、沸き上げを行う。
第一貯湯槽２０と第二貯湯槽４０の沸き上げに入る条件としては、リモコン等の操作盤で沸き上げを行うことを使用者が指示した場合や、制御部７０に記憶してある設定時間になったことによる沸き上げが指示された場合である。
この場合、ヒートポンプ電動三方弁３４を駆動させて第一循環回路の第一貯湯槽２０の側の沸き上げを優先する。第一貯湯槽２０が、自然エネルギーである太陽熱熱源で加熱す
るからであり、先に第一貯湯槽２０を沸き上げて積極的に利用するためである。
【００３２】
但し、以下の条件の場合には、ヒートポンプ電動三方弁３４を駆動させて第二循環回路の第二貯湯槽４０の沸き上げを選択する。
第一の条件としては、集熱器２３で集熱を行う循環、循環ポンプ２２が駆動している場合。
第二の条件としては、制御部７０に記憶されている一日の時間帯を参照して日照が行われる時間帯に当たる場合。
第三の条件としては、第一貯湯槽２０に設けられた温度センサー５４で検出した温度と、
第二貯湯槽４０に設けられた温度センサー５８で検出した温度を比較して、第二貯湯槽４０側の温度が前記第一貯湯槽２０側の温度よりも低い場合。
【００３３】
なお、第三の解除条件としては、ヒートポンプ電動三方弁３４が短時間での切換え動作を繰り返さないため、第二貯湯槽４０の温度センサー５８の検出する温度が、第一貯湯槽２０の温度センサー５４の検出する温度との温度差が所定温度以上（例えば、５Ｋ）なった場合としている。
【００３４】
そして、前記条件で第二循環回路にするかどうかの判断は、第一条件又は第二条件だけが発生した場合や、第一条件と第三条件が同時に発生した場合や、第二条件と第三条件が同時に発生した場合としても良い。
【００３５】
これらの制御手段を備えていることにより、第一貯湯槽２０側における太陽熱による加熱が行われる又は行われる可能性がある場合や、温度が低い側の貯湯槽を優先させる判断が行われ、ヒートポンプ熱源機３０での加熱手段の実施を第二貯湯槽４０側で行う制御が可能となり、太陽熱による加熱手段による熱交換効率を上昇させると同時に、ヒートポンプ熱源機３０での加熱手段での熱交換効率を上昇させ、延いては第一貯湯槽２０と第二貯湯槽４０との蓄熱効率を上昇させることができる。
【００３６】
（第２の実施形態）
図２に示す第２の実施形態の給湯装置２は、第一貯湯槽２０ａと第二貯湯槽４０を備えている。第一貯湯槽２０ａと第二貯湯槽４０の下部には、上水道等の給水管５に連接し、減圧弁６で減圧された給水管が接続されている。そして、第一貯湯槽２０ａと第二貯湯槽４０の内部には、給水管５から給水された水道水が貯留している。この貯留した水を、後述する加熱手段により加熱して、水に蓄熱して温水としている。そして、第二貯湯槽４０の上部から取り出し、温水と水を混合して必要な給湯温度にする電動混合弁８を経て、お湯の必要となる浴室や台所等への給湯管９に接続されている。
【００３７】
第一貯湯槽２０ａと第二貯湯槽４０には夫々加熱手段を備えている。第一貯湯槽２０ａについては、第一貯湯槽２０ａの内部に太陽熱熱源とする加熱手段である熱交換器２１を備えている。第二貯湯槽４０と第一貯湯槽２０ａについては、ヒートポンプ熱源機３０を熱源として、後述する第三循環回路で第二貯湯槽４０と第一貯湯槽２０ａを循環管３７で直列に接続することで、第二貯湯槽４０の上部から下部に、第一貯湯槽２０ａの上部から下部に循環し、第二貯湯槽４０と第一貯湯槽２０ａの内部に貯留する水を蓄熱することができる。
また、第二貯湯槽４０については、後述する第二循環回路で、第二貯湯槽４０の上部から下部に循環し、第二貯湯槽４０の内部に貯留する水を加熱することができる。
【００３８】
太陽熱源についての加熱手段及びヒートポンプ熱源機３０については、第１の実施形態と同じであるので、同一の符号を附して説明を省略する。
【００３９】
ヒートポンプ熱交換器３２と、第一貯湯槽２０ａ又は第二貯湯槽４０の間に水を循環させるために、ヒートポンプ循環ポンプ３３を有しており、循環する対象を第一貯湯槽２０ａと第二貯湯槽４０の両方か、第二貯湯槽４０だけの何れかを選択するため、第一ヒートポンプ電動三方弁３６が設けられている。
【００４０】
第一ヒートポンプ電動三方弁３６を用いた選択手段が設けられていることで、第二貯湯槽４０と第一貯湯槽２０ａへのヒートポンプ熱源機３０での加熱を行うことが可能であると同時に、第一貯湯槽２０ａにおいて太陽熱による加熱が行われる場合には、ヒートポンプ熱源機３０の加熱手段を第二貯湯槽４０側にすることが可能な構成となっている。
【００４１】
第二貯湯槽４０及び第一貯湯槽２０ａと、ヒートポンプ熱源機３０との間で循環する第三循環回路の構成は、ヒートポンプ循環ポンプ３３、ヒートポンプ熱交換器３２、第二貯湯槽４０の上部から下部、第二貯湯槽４０の下部と第一貯湯槽２０ａの上部を連接する循環管３７、第一貯湯槽２０ａ上部から下部、第一貯湯槽２０ａの下部側に切り換えられている第一ヒートポンプ電動三方弁３６、そして、ヒートポンプ循環ポンプ３３へ戻る循環回路となる。
【００４２】
第二貯湯槽４０とヒートポンプ熱源機３０との間で循環する第二循環回路の構成は、ヒートポンプ循環ポンプ３３、ヒートポンプ熱交換器３２、第二貯湯槽４０の上部から下部、第二貯湯槽４０の下部側に切り換えられている第一ヒートポンプ電動三方弁３６、そして、ヒートポンプ循環ポンプ３３へ戻る循環回路となる。
【００４３】
第三循環回路が形成されヒートポンプ熱交換器３２で加熱された水が循環することにより、第二貯湯槽４０に給水されて貯留している水は、上側から下に向かって徐々に昇温し、第二貯湯槽４０全体として加熱される。第二貯湯槽４０の加熱が終了すると、次に第一貯湯槽２０ａに給水されて貯留している水は、上側から下に向かって徐々に昇温し、第一貯湯槽２０ａも全体として加熱される。なお、第一貯湯槽２０ａと第二貯湯槽４０には、内部に貯留する水の温度を検知するために、温度センサー５１〜５８が第一貯湯槽２０ａと第二貯湯槽４０の高さ方向の取り付け位置を変えて取り付けられており、第一貯湯槽２０ａと第二貯湯槽４０の内部に貯留する湯の温度だけでなく、第一貯湯槽２０ａと第二貯湯槽４０の夫々に貯えられている湯の量を推定することができる。
【００４４】
ヒートポンプ熱源機３０を駆動させて、第二貯湯槽４０と第一貯湯槽２０ａを加熱する場合の制御部７０の判断方法について説明する。加熱を行う前提としては、第二貯湯槽４０又は第一貯湯槽２０ａに貯留する水が沸き上がってない場合である。
【００４５】
第二貯湯槽４０と第一貯湯槽２０ａに貯留する水が沸き上がってないとは、リモコン等の操作盤から設定可能な沸き上げ設定温度（例えば、６０℃）や、給湯装置２には水道水を混合することができる電動混合弁８を備えているので、給湯装置２の制御部７０に既に設定されている設計上限温度（例えば、７５℃）に、第二貯湯槽４０又は第一貯湯槽２０ａに貯留する水が全部到達してないと制御部７０が判断した場合であり、沸き上がっていると制御部７０が判断した場合はヒートポンプ熱源機３０での沸き上げは実施されない。
【００４６】
なお、第二貯湯槽４０又は第一貯湯槽２０ａ何れか一方だけが沸き上がっている場合には、給湯装置２の第二貯湯槽４０と第一貯湯槽２０ａは直列に接続されているので、第三循環回路により、第二貯湯槽４０又は第一貯湯槽２０ａをヒートポンプ熱源機３０で沸き上げる。
【００４７】
第二貯湯槽４０と第一貯湯槽２０ａの何れも沸き上がってない場合には、制御部７０に設定されている以下の条件により、沸き上げを行う。
第二貯湯槽４０と第一貯湯槽２０ａの沸き上げに入る条件としては、リモコン等の操作盤で沸き上げを行うことを使用者が指示した場合や、制御部７０に記憶してある設定時間になったことによる沸き上げが指示された場合である。
この場合、第一ヒートポンプ電動三方弁３６を駆動させて第三循環回路の第二貯湯槽４０を沸き上げた後に第一貯湯槽２０ａの沸き上げを行う沸き上げを優先する。
【００４８】
但し、以下の条件の場合には、第一ヒートポンプ電動三方弁３６を駆動させて第二循環回路の第二貯湯槽４０の沸き上げを選択する。
第一の条件としては、集熱器２３で集熱を行う循環、循環ポンプ２２が駆動している場合。
第二の条件としては、制御部７０に記憶されている一日の時間帯を参照して日照が行われる時間帯に当たる場合。
第三の条件としては、第一貯湯槽２０ａに設けられた温度センサー５４で検出した温度と、
第二貯湯槽４０に設けられた温度センサー５８で検出した温度を比較して、第二貯湯槽４０側の温度が前記第一貯湯槽２０ａ側の温度よりも低い場合。
【００４９】
なお、第三の解除条件としては、第二ヒートポンプ電動三方弁３７が短時間での切換え動作を繰り返さないため、第二貯湯槽４０の温度センサー５８の検出する温度が、第一貯湯槽２０ａの温度センサー５４の検出する温度との温度差が所定温度以上（例えば、５Ｋ）なった場合としている。
【００５０】
そして、前記条件で第二循環回路にするかどうかの判断は、第一条件又は第二条件だけが発生した場合や、第一条件と第三条件が同時に発生した場合や、第二条件と第三条件が同時に発生した場合としても良い。
【００５１】
これらの制御手段を備えていることにより、第一貯湯槽２０ａ側における太陽熱による加熱が行われる又は行われる可能性がある場合や、温度が低い側の貯湯槽を優先させる判断が行われ、ヒートポンプ熱源機３０での加熱手段の実施を第二貯湯槽４０側で行う制御が可能となり、太陽熱による加熱手段による熱交換効率を上昇させると同時に、ヒートポンプ熱源機３０での加熱手段での熱交換効率を上昇させ、延いては第一貯湯槽２０ａと第二貯湯槽４０との蓄熱効率を上昇させることができる。
【００５２】
（第３の実施形態）
図３に示す第３の実施形態の給湯装置３は、第一貯湯槽２０ｂと第二貯湯槽４０を備えている。第一貯湯槽２０ｂと第二貯湯槽４０の下部には、上水道等の給水管５に連接し、減圧弁６で減圧された給水管が接続されている。そして、第一貯湯槽２０ｂと第二貯湯槽４０の内部には、給水管５から給水された水道水が貯留している。この貯留した水を、後述する加熱手段により加熱して、水に蓄熱して温水としている。そして、第一貯湯槽２０ｂと第二貯湯槽４０の夫々の上部から、この取り出し、第一貯湯槽２０ｂ又は第二貯湯槽４０の何れかの温水を選択する電動三方弁７や、温水と水を混合して必要な給湯温度にする電動混合弁８を経て、お湯の必要となる浴室や台所等への給湯管９に接続されている。
【００５３】
第一貯湯槽２０ｂと第二貯湯槽４０には夫々加熱手段を備えている。第一貯湯槽２０ｂについては、第一貯湯槽２０ｂの内部に太陽熱熱源とする加熱手段である熱交換器２１を備えている。第二貯湯槽４０と第一貯湯槽２０ｂについては、ヒートポンプ熱源機３０を熱源として、後述する第三循環回路で第二貯湯槽４０と第一貯湯槽２０ｂを循環管３７で直列に接続することで、第二貯湯槽４０の上部から下部に、第一貯湯槽２０ｂの上部から下部に循環し、第二貯湯槽４０と第一貯湯槽２０ｂの内部に貯留する水を蓄熱することができる。
また、第二貯湯槽４０については、後述する第二循環回路で、第二貯湯槽４０の上部から下部に循環し、第二貯湯槽４０の内部に貯留する水を加熱することができる。
【００５４】
太陽熱源についての加熱手段及びヒートポンプ熱源機３０については、第２の実施形態と同じであるので、同一の符号を附して説明を省略する。
【００５５】
ヒートポンプ熱交換器３２と、第一貯湯槽２０ｂ又は第二貯湯槽４０の間に水を循環させるために、ヒートポンプ循環ポンプ３３を有しており、循環する対象を第一貯湯槽２０ｂと第二貯湯槽４０の両方か、第二貯湯槽４０だけの何れかを選択するため、第一ヒートポンプ電動三方弁３６が設けられている。
【００５６】
第一ヒートポンプ電動三方弁３６を用いた選択手段が設けられていることで、第二貯湯槽４０と第一貯湯槽２０ｂへのヒートポンプ熱源機３０での加熱を行うことが可能であると同時に、第一貯湯槽２０ｂにおいて太陽熱による加熱が行われる場合には、ヒートポンプ熱源機３０の加熱手段を第二貯湯槽４０側にすることが可能な構成となっている。
【００５７】
第二貯湯槽４０及び第一貯湯槽２０ｂと、ヒートポンプ熱源機３０との間で循環する第三循環回路の構成は、ヒートポンプ循環ポンプ３３、ヒートポンプ熱交換器３２、第二貯湯槽４０の上部から下部、第二貯湯槽４０の下部と第一貯湯槽２０ｂの上部を連接する循環管３７、第一貯湯槽２０ｂ上部から下部、第一貯湯槽２０ｂの下部側に切り換えられている第一ヒートポンプ電動三方弁３６、そして、ヒートポンプ循環ポンプ３３へ戻る循環回路となる。
【００５８】
第二貯湯槽４０とヒートポンプ熱源機３０との間で循環する第二循環回路の構成は、ヒートポンプ循環ポンプ３３、ヒートポンプ熱交換器３２、第二貯湯槽４０の上部から下部、第二貯湯槽４０の下部側に切り換えられている第一ヒートポンプ電動三方弁３６、そして、ヒートポンプ循環ポンプ３３へ戻る循環回路となる。
【００５９】
第三循環回路が形成されヒートポンプ熱交換器３２で加熱された水が循環することにより、第二貯湯槽４０に給水されて貯留している水は、上側から下に向かって徐々に昇温し、第二貯湯槽４０全体として加熱される。第二貯湯槽４０の加熱が終了すると、次に第一貯湯槽２０ｂに給水されて貯留している水は、上側から下に向かって徐々に昇温し、第一貯湯槽２０ｂも全体として加熱される。なお、第一貯湯槽２０ｂと第二貯湯槽４０には、内部に貯留する水の温度を検知するために、温度センサー５１〜５８が第一貯湯槽２０ｂと第二貯湯槽４０の高さ方向の取り付け位置を変えて取り付けられており、第一貯湯槽２０ｂと第二貯湯槽４０の内部に貯留する湯の温度だけでなく、第一貯湯槽２０ｂと第二貯湯槽４０の夫々に貯えられている湯の量を推定することができる。
【００６０】
ヒートポンプ熱源機３０を駆動させて、第二貯湯槽４０と第一貯湯槽２０ｂを加熱する場合の制御部７０の判断方法について説明する。加熱を行う前提としては、第二貯湯槽４０又は第一貯湯槽２０ｂに貯留する水が沸き上がってない場合である。
【００６１】
第二貯湯槽４０と第一貯湯槽２０ｂに貯留する水が沸き上がってないとは、リモコン等の操作盤から設定可能な沸き上げ設定温度（例えば、６０℃）や、給湯装置２には水道水を混合することができる電動混合弁８を備えているので、給湯装置２の制御部７０に既に設定されている設計上限温度（例えば、７５℃）に、第二貯湯槽４０又は第一貯湯槽２０ｂに貯留する水が全部到達してないと制御部７０が判断した場合であり、沸き上がっていると制御部７０が判断した場合はヒートポンプ熱源機３０での沸き上げは実施されない。
【００６２】
なお、第二貯湯槽４０又は第一貯湯槽２０ｂ何れか一方だけが沸き上がっている場合には、給湯装置２の第二貯湯槽４０と第一貯湯槽２０ｂは直列に接続されているので、第三循環回路により、第二貯湯槽４０又は第一貯湯槽２０ｂをヒートポンプ熱源機３０で沸き上げる。
【００６３】
第二貯湯槽４０と第一貯湯槽２０ｂの何れも沸き上がってない場合には、制御部７０に設定されている以下の条件により、沸き上げを行う。
第二貯湯槽４０と第一貯湯槽２０ｂの沸き上げに入る条件としては、リモコン等の操作盤で沸き上げを行うことを使用者が指示した場合や、制御部７０に記憶してある設定時間になったことによる沸き上げが指示された場合である。
この場合、第一ヒートポンプ電動三方弁３６を駆動させて第三循環回路の第二貯湯槽４０を沸き上げた後に第一貯湯槽２０ｂの沸き上げを行う沸き上げを優先する。
【００６４】
但し、以下の条件の場合には、第一ヒートポンプ電動三方弁３６を駆動させて第二循環回路の第二貯湯槽４０の沸き上げを選択する。
第一の条件としては、集熱器２３で集熱を行う循環、循環ポンプ２２が駆動している場合。
第二の条件としては、制御部７０に記憶されている一日の時間帯を参照して日照が行われる時間帯に当たる場合。
第三の条件としては、第一貯湯槽２０ｂに設けられた温度センサー５４で検出した温度と、
第二貯湯槽４０に設けられた温度センサー５８で検出した温度を比較して、第二貯湯槽４０側の温度が前記第一貯湯槽２０ｂ側の温度よりも低い場合。
【００６５】
なお、第三の解除条件としては、第二ヒートポンプ電動三方弁３７が短時間での切換え動作を繰り返さないため、第二貯湯槽４０の温度センサー５８の検出する温度が、第一貯湯槽２０ｂの温度センサー５４の検出する温度との温度差が所定温度以上（例えば、５Ｋ）なった場合としている。
【００６６】
そして、前記条件で第二循環回路にするかどうかの判断は、第一条件又は第二条件だけが発生した場合や、第一条件と第三条件が同時に発生した場合や、第二条件と第三条件が同時に発生した場合としても良い。
【００６７】
これらの制御手段を備えていることにより、第一貯湯槽２０ｂ側における太陽熱による加熱が行われる又は行われる可能性がある場合や、温度が低い側の貯湯槽を優先させる判断が行われ、ヒートポンプ熱源機３０での加熱手段の実施を第二貯湯槽４０側で行う制御が可能となり、太陽熱による加熱手段による熱交換効率を上昇させると同時に、ヒートポンプ熱源機３０での加熱手段での熱交換効率を上昇させ、延いては第一貯湯槽２０ｂと第二貯湯槽４０との蓄熱効率を上昇させることができる。
【００６８】
（第４の実施形態）
図４に示す第４の実施形態の給湯装置４は、第一貯湯槽２０ｃと第二貯湯槽４０を備えている。第一貯湯槽２０ｃと第二貯湯槽４０の下部には、上水道等の給水管５に連接し、減圧弁６で減圧された給水管が接続されている。そして、第一貯湯槽２０ｃと第二貯湯槽４０の内部には、給水管５から給水された水道水が貯留している。この貯留した水を、後述する加熱手段により加熱して、水に蓄熱して温水としている。そして、第一貯湯槽２０ｃと第二貯湯槽４０の夫々の上部から、この取り出し、第一貯湯槽２０ｃ又は第二貯湯槽４０の何れかの温水を選択する電動三方弁７や、温水と水を混合して必要な給湯温度にする電動混合弁８を経て、お湯の必要となる浴室や台所等への給湯管９に接続されている。
【００６９】
第一貯湯槽２０ｃと第二貯湯槽４０には夫々加熱手段を備えている。第一貯湯槽２０ｃについては、第一貯湯槽２０ｃの内部に太陽熱熱源とする加熱手段である熱交換器２１を備えている。第二貯湯槽４０と第一貯湯槽２０ｃについては、ヒートポンプ熱源機３０を熱源として、後述する第三循環回路で第二貯湯槽４０と第一貯湯槽２０ｃを循環管３７で直列に接続することで、第二貯湯槽４０の上部から下部に、第一貯湯槽２０ｃの上部から下部に循環し、第二貯湯槽４０と第一貯湯槽２０ｃの内部に貯留する水を蓄熱することができる。
【００７０】
また、第二貯湯槽４０については、後述する第二循環回路で、第二貯湯槽４０の上部から下部に循環し、第二貯湯槽４０の内部に貯留する水を加熱することができる。
さらに、第一貯湯槽２０ｃについては、後述する第四循環回路で、第二貯湯槽４０側の加熱性能を向上させるためにヒートポンプ熱源機３０の加熱立ち上がり時所定期間だけ第一貯湯槽２０ｃの下部だけで循環させることができる。
【００７１】
太陽熱源についての加熱手段及びヒートポンプ熱源機３０については、第１の実施形態と同じであるので、同一の符号を附して説明を省略する。
【００７２】
ヒートポンプ熱交換器３２と、第一貯湯槽２０ｃ又は第二貯湯槽４０の間に水を循環させるために、ヒートポンプ循環ポンプ３３を有しており、循環する対象を第一貯湯槽２０ｃと第二貯湯槽４０の両方か、第二貯湯槽４０又は第一貯湯槽２０ｃの夫々の何れかを選択するため、第一ヒートポンプ電動三方弁３６と第二ヒートポンプ電動三方弁３８が設けられている。
【００７３】
第一ヒートポンプ電動三方弁３６を用いた選択手段が設けられていることで、第二貯湯槽４０と第一貯湯槽２０ｃへのヒートポンプ熱源機３０での加熱を行うことが可能であると同時に、第一貯湯槽２０ｃにおいて太陽熱による加熱が行われる場合には、ヒートポンプ熱源機３０の加熱手段を第二貯湯槽４０側にすることが可能な構成となっている。
【００７４】
第二貯湯槽４０及び第一貯湯槽２０ｃと、ヒートポンプ熱源機３０をとの間で循環する第三循環回路の構成は、ヒートポンプ循環ポンプ３３、ヒートポンプ熱交換器３２、第二貯湯槽４０の上部側に切り換えられている第二ヒートポンプ電動三方弁３８、第二貯湯槽４０の上部から下部、第二貯湯槽４０の下部と第一貯湯槽２０ｃの上部を連接する循環管３７、第一貯湯槽２０ｃ上部から下部、第一貯湯槽２０ｃの下部側に切り換えられている第一ヒートポンプ電動三方弁３６、そして、ヒートポンプ循環ポンプ３３へ戻る循環回路となる。
【００７５】
第二貯湯槽４０とヒートポンプ熱源機３０をとの間で循環する第二循環回路の構成は、ヒートポンプ循環ポンプ３３、ヒートポンプ熱交換器３２、第二貯湯槽４０側に切り換えられている第二ヒートポンプ電動三方弁３８、第二貯湯槽４０の上部から下部、第二貯湯槽４０の下部側に切り換えられている第一ヒートポンプ電動三方弁３６、そして、ヒートポンプ循環ポンプ３３へ戻る循環回路となる。
【００７６】
なお、第二ヒートポンプ電動三方弁３８を第一貯湯槽２０ｃ側に切り換えて、第一貯湯槽２０ｃとヒートポンプ熱源機３０との間で循環する第四循環回路もあるが、第１の実施形態の第一循環回路とは異なり、第一貯湯槽２０ｃの下部から別の下部へ、循環させており、第二貯湯槽４０側の加熱性能を向上させるためにヒートポンプ熱源機３０の加熱立ち上がり時所定期間だけ第一貯湯槽２０ｃの下部だけで循環させている。よって、第一貯湯槽２０ｃを加熱する場合には、前記の第三循環回路が用いられる。また、この第四循環回路の構成は、ヒートポンプ循環ポンプ３３、ヒートポンプ熱交換器３２、第一貯湯槽２０ｃの下部側に切り換えられている第二ヒートポンプ電動三方弁３８、第一貯湯槽２０ｃの下部から別の下部、第一貯湯槽２０ｃの下部側に切り換えられている第一ヒートポンプ電動三方弁３６７そして、ヒートポンプ循環ポンプ３３へ戻る循環回路となる。
【００７７】
第三循環回路が形成されヒートポンプ熱交換器３２で加熱された水が循環することにより、第二貯湯槽４０に給水されて貯留している水は、上側から下に向かって徐々に昇温し、第二貯湯槽４０全体として加熱される。第二貯湯槽４０の加熱が終了すると、次に第一貯湯槽２０ｃに給水されて貯留している水は、上側から下に向かって徐々に昇温し、第一貯湯槽２０ｃも全体として加熱される。なお、第一貯湯槽２０ｃと第二貯湯槽４０には、内部に貯留する水の温度を検知するために、温度センサー５１〜５８が第一貯湯槽２０ｃと第二貯湯槽４０の高さ方向の取り付け位置を変えて取り付けられており、第一貯湯槽２０ｃと第二貯湯槽４０の内部に貯留する湯の温度だけでなく、第一貯湯槽２０ｃと第二貯湯槽４０の夫々に貯えられている湯の量を推定することができる。
【００７８】
ヒートポンプ熱源機３０を駆動させて、第二貯湯槽４０と第一貯湯槽２０ｃを加熱する場合の制御部７０の判断方法について説明する。加熱を行う前提としては、第二貯湯槽４０又は第一貯湯槽２０ｃに貯留する水が沸き上がってない場合である。
【００７９】
第二貯湯槽４０と第一貯湯槽２０ｃに貯留する水が沸き上がってないとは、リモコン等の操作盤から設定可能な沸き上げ設定温度（例えば、６０℃）や、給湯装置３には水道水を混合することができる電動混合弁８を備えているので、給湯装置３の制御部７０に既に設定されている設計上限温度（例えば、７５℃）に、第二貯湯槽４０又は第一貯湯槽２０ｃに貯留する水が全部到達してないと制御部７０が判断した場合であり、沸き上がっていると制御部７０が判断した場合はヒートポンプ熱源機３０での沸き上げは実施されない。
【００８０】
なお、第二貯湯槽４０又は第一貯湯槽２０ｃ何れか一方だけが沸き上がっている場合には、給湯装置３の第二貯湯槽４０と第一貯湯槽２０ｃは、直列に接続されているので、第三循環回路により、第二貯湯槽４０又は第一貯湯槽２０ｃをヒートポンプ熱源機３０で沸き上げる。
【００８１】
第二貯湯槽４０と第一貯湯槽２０ｃの何れも沸き上がってない場合には、制御部７０に設定されている以下の条件により、沸き上げを行う。
第二貯湯槽４０と第一貯湯槽２０ｃの沸き上げに入る条件としては、リモコン等の操作盤で沸き上げを行うことを使用者が指示した場合や、制御部７０に記憶してある設定時間になったことによる沸き上げが指示された場合である。
この場合、第一ヒートポンプ電動三方弁３６と第二ヒートポンプ電動三方弁３８を駆動させて第三循環回路の第二貯湯槽４０を沸き上げた後に第一貯湯槽２０ｃの沸き上げを行う沸き上げを優先する。
【００８２】
但し、以下の条件の場合には、第一ヒートポンプ電動三方弁３６を駆動させて第二循環回路の第二貯湯槽４０の沸き上げを選択する。
第一の条件としては、集熱器２３で集熱を行う循環、循環ポンプ２２が駆動している場合。
第二の条件としては、制御部７０に記憶されている一日の時間帯を参照して日照が行われる時間帯に当たる場合。
第三の条件としては、第一貯湯槽２０ｃに設けられた温度センサー５４で検出した温度と、
第二貯湯槽４０に設けられた温度センサー５８で検出した温度を比較して、第二貯湯槽４０側の温度が前記第一貯湯槽２０ｃ側の温度よりも低い場合。
【００８３】
なお、第三の解除条件としては、第一ヒートポンプ電動三方弁３６が短時間での切換え動作を繰り返さないため、第二貯湯槽４０の温度センサー５８の検出する温度が、第一貯湯槽２０ｃの温度センサー５４の検出する温度との温度差が所定温度以上（例えば、５Ｋ）なった場合としている。
【００８４】
そして、前記条件で第二循環回路にするかどうかの判断は、第一条件又は第二条件だけが発生した場合や、第一条件と第三条件が同時に発生した場合や、第二条件と第三条件が同時に発生した場合としても良い。
【００８５】
これらの制御手段を備えていることにより、第一貯湯槽２０ｃ側における太陽熱による加熱が行われる又は行われる可能性がある場合や、温度が低い側の貯湯槽を優先させる判断が行われ、ヒートポンプ熱源機３０での加熱手段の実施を第二貯湯槽４０側で行う制御が可能となり、太陽熱による加熱手段による熱交換効率を上昇させると同時に、ヒートポンプ熱源機３０での加熱手段での熱交換効率を上昇させ、延いては第一貯湯槽２０ｃと第二貯湯槽４０との蓄熱効率を上昇させることができる。
【００８６】
（第５の実施形態）
第５の実施形態の給湯装置５について、図５を用いて説明する。第５の実施形態の給湯装置５については、第４の実施形態の給湯機構だけの給湯装置４に、浴槽へのお湯張り機構６１〜６２と、浴槽についての追焚き機構６３〜６６が追加されたものであり、給湯機構と第三循環回路、第二循環回路とその切換え動作については、第４の実施形態と同じであるので、同一の符号を附して説明を省略する。
【００８７】
なお、浴槽へのお湯張り機構６１〜６２については、電動三方弁７の下流側で分岐してお湯張り混合弁６１で湯と水を混合して、お湯張り弁６２を通過した後、後述する追焚き機構の外側循環機構に連接している。
【００８８】
また、浴槽についての追焚き機構６３〜６６については、追焚き電動三方弁６３で第一貯湯槽２０ｃまたは第二貯湯槽４０の何れかを選択し、選択された貯湯槽と追焚き熱交換器６４を追焚き内側循環ポンプ６５で循環させる内側循環機構と、追焚き熱交換器６４と浴槽を追焚き外側循環ポンプ６６で循環させる外側循環機構から構成されている。
【００８９】
以上、本発明について、第１〜第５の実施形態に基づき説明してきたが、本発明は何らこれらの実施形態の構成に限定するものではない。例えば、貯湯槽を２個としているが太陽熱熱源で加熱される貯湯槽を１個とヒートポンプ熱源機で加熱される貯湯槽２個以上の様に３個以上の貯湯槽を用いる構成としても実施できる。また第１〜第４の実施形態にお湯張り機構６１、６２や追焚き機構６３〜６６を追加しても良い。さらには、第１〜第５の実施形態に暖房機構の循環を追加して実施することもできる。
【符号の説明】
【００９０】
１、２、３、４、５：給湯装置
５、給水管
６：減圧弁
７：電動三方弁
８：電動混合弁
９：給湯管
２０、２０ａ、２０ｂ、２０ｃ：第一貯湯槽
２１：熱交換器
２２：循環ポンプ
２３：集熱器
２４：太陽熱電動三方弁
２５：アキュームタンク
２６：リザーブタンク
３０：ヒートポンプ熱源機
３１：圧縮機
３２：ヒートポンプ熱交換器
３３：ヒートポンプ循環ポンプ
３４：ヒートポンプ電動三方弁
３５：逆止弁
３６：第一ヒートポンプ電動三方弁
３７：循環管
３８：第二ヒートポンプ電動三方弁
４０：第二貯湯槽
５１〜５８：温度センサー
６１、６２：お湯張り機構
６３〜６６：追焚き機構
７０：制御部
【図１】
2020070967.tif 000003
【図２】
2020070967.tif 000004
【図３】
2020070967.tif 000005
【図４】
2020070967.tif 000006
【図５】
2020070967.tif 000007